(57)【要約】【課題】印刷用紙をプリンターにセットする前に、ユーザーが印刷用紙の紙幅を把握できるプリンターを提供すること。【解決手段】プリンター４は内部にインクジェットヘッド５４や吸引プラテン３４を収納するプリンターケース２５を備える。吸引プラテン３４はプラテン面３５に複数の吸引口３６を備える。吸引プラテンには一部分の吸引口３６を開閉するシャッター３７が搭載されている。プリンターケース２５のケース上面２５ｂにはメジャー５５、５６およびシャッター３７の操作説明図５７が印刷された取扱い説明ラベル５８が貼り付けられている。ユーザーは、印刷用紙をプリンター４にセットする前に、メジャー５５、５６を用いて印刷用紙の幅寸法を計測できる。また、印刷用紙の幅寸法に応じてシャッター３７を操作する際に、取扱い説明ラベル５８の操作説明図５７を参照できる。【選択図】図５
2015048169.tif 000002
【特許請求の範囲】
【請求項１】
印刷ヘッドと、前記印刷ヘッドによる印刷位置を経由して印刷用紙を搬送するための搬送路と、を備えるプリンターであって、
ケースの外面にメジャーが設けられていることを特徴とするプリンター。
【請求項２】
請求項１において、
前記メジャーは、前記印刷用紙の幅寸法を計測可能であることを特徴とするプリンター。
【請求項３】
請求項２において、
前記メジャーの長さは、前記搬送路を搬送可能な最大の前記印刷用紙の幅寸法以上であること特徴とするプリンター。
【請求項４】
請求項２または３において、
前記搬送路を搬送される前記印刷用紙の幅寸法に応じて手動で操作される移動部材を有することを特徴とするプリンター。
【請求項５】
請求項４において、
前記印刷位置に配置されており、前記印刷ヘッドと対向するプラテン面に吸引口を備える吸引プラテンを有し、
前記移動部材は、前記吸引口を開く開位置と当該吸引口を閉じる閉位置との間を移動するシャッターであることを特徴とするプリンター。
【請求項６】
請求項４または５において、
前記移動部材の操作説明図を有し、
前記操作説明図は、前記ケースの外面の前記メジャーと隣接する位置に設けられていることを特徴とするプリンター。
【請求項７】
請求項６において、
前記メジャーおよび前記操作説明図は、前記搬送路の下流端が接続された排紙口が形成されている前記ケースの第１端面、または、前記第１端面の外周縁部分から当該第１端面と交差する方向に延びる第２端面に設けられていることを特徴とするプリンター。
【請求項８】
請求項６または７において、
前記メジャーおよび前記操作説明図は、裏面が粘着面とされている１枚のラベルの表面に印刷されており、
前記ラベルが前記ケースの外面に貼り付けられていることを特徴とするプリンター。
【発明の詳細な説明】
【技術分野】
【０００１】
本発明は、紙幅の異なる複数種類の印刷用紙を印刷に用いるプリンターに関する。
【背景技術】
【０００２】
かかるプリンターは特許文献１に記載されている。特許文献１のプリンターはロール紙から繰り出される長尺状の記録紙に印刷を行うロール紙プリンターであり、印刷ヘッドと、印刷ヘッドによる印刷位置を経由して記録紙を搬送するための搬送路と、印刷位置を規定するプラテンを備えている。プラテンは印刷ヘッドに対向するプラテン面に複数の吸引口を備える吸引プラテンであり、各吸引口は吸引ダクトを介して吸引ファンに接続されている。印刷時には吸引ファンが駆動され、記録紙はプラテン面に吸引された状態で印刷位置を通過する。
【０００３】
吸引プラテンはプラテン面に第１吸引領域と第２吸引領域を備えている。第１吸引領域は、プラテン面における印刷用紙が搬送される搬送領域の幅方向の中央部分に設けられており、第２吸引領域は第１吸引領域の両側に設けられている。第１吸引領域には格子状のリブが設けられており、リブに囲まれた部分の全体が矩形の第１吸引口とされている。第２吸引領域には印刷用紙の搬送方向に延びるリブが複数本設けられており、各リブの間に形成された搬送方向に細長い凹部の底面に１つまたは２つの第２吸引口が設けられている。第１吸引領域における第１吸引口の開口率は第２吸引領域における第２吸引口の開口率よりも高い。
【０００４】
印刷に第１吸引領域および第２吸引領域を包含する紙幅の印刷用紙が用いられる場合には、印刷位置を通過する印刷用紙は印刷位置で第１吸引口および第２吸引口を被う。従って、印刷用紙は第１吸引領域および第２吸引領域に吸引されてプラテン面に沿った平坦な状態となる。一方、印刷に第１吸引領域に対応する紙幅の印刷用紙が用いられる場合には、印刷位置を通過する印刷用紙は印刷位置で第１吸引口のみを被い、第２吸引口を被わない。この場合、第２吸引口からの空気漏れによって吸引プラテンの吸引圧力の低下が発生するが、印刷用紙は開口率の高い第１吸引領域を搬送されるので、プラテン面に沿った平坦な状態になる。従って、特許文献１では、吸引ファンによる吸引圧力の調整などを行わずに印刷位置を搬送される印刷用紙を平坦な状態にできる。
【先行技術文献】
【特許文献】
【０００５】
【特許文献１】特開２０１０−２０１６８３号公報
【発明の概要】
【発明が解決しようとする課題】
【０００６】
ここで、印刷に用いる印刷用紙の紙幅が狭い場合に、第２吸引口を封鎖して吸引プラテンの吸引圧力の低下を抑制すれば、印刷用紙のプラテン面への吸引を確実なものとすることができる。このためには、特許文献１の吸引プラテンに第２吸引口を開閉可能なシャッターを搭載することが考えられる。また、吸引プラテンにシャッターを搭載する場合には、シャッターを開閉させる開閉機構が複雑になると装置の大型化や製造コストの増加を招くので、シャッターを印刷用紙の紙幅に応じて手動で移動させるものとすることが考えられる。しかし、シャッターのような移動部材を印刷用紙の紙幅に応じて移動させるためには、印刷用紙が搬送路に沿って搬送される前に、ユーザーが印刷用紙の紙幅を把握する必要がある。
【０００７】
本発明の課題は、このような点に鑑みて、印刷用紙をプリンターにセットする前に、ユーザーが印刷用紙の幅寸法を容易に把握できるプリンターを提供することにある。
【課題を解決するための手段】
【０００８】
上記の課題を解決するために、本発明は、印刷ヘッドと、前記印刷ヘッドによる印刷位置を経由して印刷用紙を搬送するための搬送路と、を備えるプリンターであって、ケースの外面にメジャーが設けられていることを特徴とする。
【０００９】
本発明において、前記メジャーは、前記印刷用紙の幅寸法を計測可能なものとすることができる。
【００１０】
本発明によれば、印刷用紙をプリンターにセットする前に、プリンターケースの外面に設けられたメジャーによって印刷用紙の幅寸法などを計測することができる。
【００１１】
本発明において、前記メジャーの長さは、前記搬送路を搬送可能な最大の前記印刷用紙の幅寸法以上とすることができる。すなわち、メジャーは、印刷用紙の搬送方向と直交する方向における搬送路の幅寸法以上の長さを備えるものとすることができる。このようにすれば、メジャーによってプリンターが印刷に用いることが可能な全ての印刷用紙の幅寸法を計測できる。
【００１２】
本発明において、前記搬送路を搬送される前記印刷用紙の幅寸法に応じて手動で操作される移動部材を有するものとすることができる。このようにすれば、メジャーにより計測した印刷用紙の幅寸法に基づいて、移動部材を操作することができる。
【００１３】
本発明において、前記印刷位置に配置されており、前記印刷ヘッドと対向するプラテン面に吸引口を備える吸引プラテンを有し、前記移動部材は、前記吸引口を開く開位置と当該吸引口を閉じる閉位置との間を移動するシャッターとすることができる。このようにすれば、印刷用紙の幅寸法に応じて吸引プラテンの吸引口を開閉することができ、印刷位置を通過する印刷用紙によって被われず開放状態となっている吸引口の数を減らすことができる。従って、印刷用紙のプラテン面への吸引を確実なものとすることができる。
【００１４】
本発明において、前記移動部材の操作説明図を有し、前記操作説明図は、前記プリンターケースの外面の前記メジャーと隣接する位置に設けられていることが望ましい。このようにすれば、印刷用紙の幅寸法などを計測したユーザーが操作説明図を参照しやすい。
【００１５】
本発明において、前記メジャーおよび前記操作説明図は、前記搬送路の下流端が接続された排紙口が形成されている前記プリンターケースの第１端面、または、前記第１端面の外周縁部分から当該第１端面と交差する方向に延びる第２端面に設けられていることが望ましい。プリンターは、印刷済みの印刷用紙を取得しやすいように、プリンターケースにおいて排紙口が形成されている第１端面を水平方向或いは鉛直方向の上方に向けて配置されることが殆である。従って、メジャーおよび操作説明図を排紙口が形成された第１端面または第１端面に隣接する第２端面に設けておけば、ユーザーがこれらを利用しやすい。
【００１６】
本発明において、前記メジャーおよび前記操作説明図は、裏面が粘着面とされている１枚のラベルの表面に印刷されており、前記ラベルが前記プリンターケースの外面に貼り付けられているものとすることができる。メジャーおよび操作説明図は、印刷や成形によってプリンターケースの外面に直接設けることもできる。しかし、メジャーおよび操作説明図を印刷したラベルを用意して、このラベルをプリンターケースに貼り付ければ、メジャーおよび操作説明図をプリンターケースの外面に設けることが容易である。
【発明の効果】
【００１７】
印刷用紙をプリンターにセットする前に、ユーザーが印刷用紙の幅寸法などを把握することが容易になる。
【図面の簡単な説明】
【００１８】
【図１】本発明を適用したプリンターを備える印刷システムの斜視図である。
【図２】プリンタードライバーの用紙設定ダイアログボックスの説明図である。
【図３】プリンタードライバーの用紙登録ダイアログボックスの説明図である。
【図４】本発明を適用したプリンターの斜視図である。
【図５】各交換口が開いた状態におけるプリンターの斜視図である。
【図６】プリンターの概略縦断面図である。
【図７】吸引プラテン、吸引ファンおよび吸引ダクトの説明図である。
【図８】吸引プラテンおよびシャッターの分解斜視図である。
【図９】吸引プラテンおよびシャッターの平面図である。
【図１０】取扱い説明ラベルの説明図である。
【発明を実施するための形態】
【００１９】
以下に、図面を参照して、本発明を適用したプリンターを備える印刷システムの一例を説明する。
【００２０】
（印刷システム）
図１は本発明のプリンターを搭載する印刷システムの斜視図である。図２はプリンタードライバーがディスプレイに表示する用紙設定タイアログボックスの説明図である。図３はプリンタードライバーがディスプレイに表示する用紙登録ダイアログボックスの説明図である。図１に示すように、印刷システム１は、コンピューター２と、このコンピューター２にケーブル３を介して接続されたプリンター４を備えている。コンピューター２には、入出力装置として、ディスプレイ５、キーボード６、マウス７が接続されている。プリンター４は、インクジェットプリンターであり、印刷用紙としてロール紙１０（図５参照）およびファンフォールド紙（不図示）を用いることができる。また、プリンター４はロール紙１０およびファンフォールド紙として、紙幅や印刷領域が異なる複数種類のものを用いることができる。
【００２１】
コンピューター２では、ＯＳ１１（オペレーティングシステム）、ＯＳ１１上で動作するアプリケーションプログラム１２、および、プリンター４を駆動制御するプリンタードライバー１３が動作している。プリンタードライバー１３は、アプリケーションプログラム１２から出力される印刷用のアプリケーションデータを、ＯＳ１１を介して受け取り、プリンター４を駆動制御する印刷命令を含む印刷データに変換する。また、プリンタードライバー１３は印刷データをプリンター４に供給して、プリンター４に印刷データを印刷させる。
【００２２】
印刷システム１による印刷処理を開始する際には、プリンタードライバー１３はディスプレイ５に図２に示す用紙設定ダイアログボックス１５を表示して、ユーザーに印刷に用いる印刷用紙の用紙種類を設定させる。より具体的には、プリンタードライバー１３は、ユーザーによって用紙設定ダイアログボックス１５の用紙設定欄１６がクリックされると用紙種類の登録リストを表示し、登録リストの中からユーザーにいずれかの用紙種類を選択させる。ユーザーによって１つの用紙種類が選択されると、選択された用紙種類がプリンタードライバー１３に保持され、この用紙種類をプリンター４に設定する印刷命令が印刷データに担持される。
【００２３】
ここで、印刷に用いる印刷用紙の用紙種類が登録リストに掲載されていない場合には、ユーザーは用紙設定ダイアログボックス１５のユーザー設定ボタン１７をクリックする。ユーザー設定ボタン１７がクリックされると、プリンタードライバー１３はディスプレイ５に図３に示す用紙登録ダイアログボックス１８を表示して、ユーザーに用紙種類の幅寸法などを入力させる。図３は、新たな用紙種類として、台紙に型抜きされたラベルが貼り付けられたダイカットラベル用紙を登録する例である。用紙登録ダイアログボックス１８には、台紙の幅寸法を入力するための台紙幅寸法入力欄１９、ラベルの幅寸法を入力するためのラベル幅寸法入力欄２０、台紙の幅方向と直交する方向のラベルの長さ寸法を入力するためのラベル長さ寸法入力欄２１、隣り合うラベルの間の寸法を入力するためのラベルギャップ寸法入力欄２２が設けられている。ユーザーによって各入力欄１９〜２２への入力が終了し、追加ボタン２３がクリックされると、新たな用紙種類がプリンタードライバー１３に登録される。また、新たに登録された用紙種類がプリンタードライバー１３に保持され、この用紙種類をプリンター４に設定する印刷命令が印刷データに担持される。
【００２４】
（プリンターの全体構成）
図４は本発明のプリンター４を前方の斜め上方から見た場合の外観斜視図である。図５はロール紙交換口カバー、カートリッジ交換口カバーおよび廃インクタンク交換口カバーを開いた状態のプリンター４を左側前方の斜め上方から見た場合の外観斜視図である。図４に示すように、プリンター４は略直方体形状のプリンターケース（ケース）２５を備えている。プリンターケース２５のケース前面（第１端面）２５ａにはプリンター幅方向Ｘに延びる所定幅の排紙口２７が形成されている。
【００２５】
排紙口２７の下側には排紙ガイド２８が前方に突出している。排紙ガイド２８には排紙口２７から排出される印刷用紙にプリンター幅方向Ｘの両側から当接して当該印刷用紙をガイドするガイド部材２９が取り付けられている。ガイド部材２９はプリンター幅方向Ｘに移動可能な状態で排紙ガイド２８に支持されている。排紙ガイド２８の側方には開閉レバー３０が配置されている。ケース前面２５ａにおける排紙ガイド２８および開閉レバー３０の下側には矩形のロール紙交換口３１が形成されている。ロール紙交換口３１はロール紙交換口カバー３２によって封鎖されている。
【００２６】
開閉レバー３０を操作すると、ロール紙交換口カバー３２のロック（不図示）が解除され、ロール紙交換口カバー３２を図４に示す閉位置３２Ａから移動させることが可能となる。ロックが解除された状態で排紙ガイド２８を前方に引くとロール紙交換口カバー３２は下端部を中心として前方に回動して図５に示す開位置３２Ｂまで移動する。開位置３２Ｂにおいてロール紙交換口カバー３２はほぼ水平に倒れた姿勢となり、プリンターケース２５の内部に形成されたロール紙収納部３３は開放状態となる。従って、ロール紙交換口３１を介してロール紙収納部３３にロール紙１０を装填することが可能となる。
【００２７】
また、ロール紙交換口カバー３２が開位置３２Ｂに配置されると、プリンターケース２５内に収納されていた吸引プラテン３４がロール紙交換口カバー３２とともに移動して、ロール紙交換口３１よりも外側に配置される。これにより、ロール紙収納部３３から排紙口２７に至る空間が開放状態となる。吸引プラテン３４は、上方を向くプラテン面３５に複数の吸引口３６を備えている。吸引プラテン３４には一部の吸引口３６を開閉するシャッター（移動部材）３７が搭載されている。
【００２８】
ケース前面２５ａにおけるロール紙交換口３１の右側には、プリンター上下方向Ｚに長い長方形のインクカートリッジ交換口３８が形成されている。図４に示すように、インクカートリッジ交換口３８はカートリッジ交換口カバー３９によって封鎖されている。カートリッジ交換口カバー３９は、その下端部を中心としてプリンター前方（プリンター前後方向Ｙの前方）に回動して、インクカートリッジ交換口３８を封鎖する閉位置３９Ａとインクカートリッジ交換口３８を開放する開位置３９Ｂの間を移動する。図４に示す閉位置３９Ａではカートリッジ交換口カバー３９は起立した姿勢となり、図５に示す開位置３９Ｂでは前方に略水平に倒れた姿勢となる。カートリッジ交換口カバー３９が開位置３９Ｂに配置されると、プリンターケース２５内に設けられたインクカートリッジ装着部４０に装着されているインクカートリッジ４１が露出する。従って、インクカートリッジ交換口３８を介してインクカートリッジ４１を交換することが可能となる。
【００２９】
ケース前面２５ａのロール紙交換口３１の左側には、プリンター上下方向Ｚに細長い長方形の廃インクタンク交換口４２が形成されている。図４に示すように、廃インクタンク交換口４２はタンク交換口カバー４３によって封鎖されている。タンク交換口カバー４３は、着脱可能な状態でケース前面２５ａに取り付けられている。タンク交換口カバー４３の下端部と、廃インクタンク交換口４２の下縁部位との間は、図５に示すように、一定幅の可撓性の連部材である連結バンド４４によって連結されている。タンク交換口カバー４３がケース前面２５ａから外されると、プリンターケース２５内に設けられた廃インクタンク装着部４５に装着されている廃インクタンク４６が露出する。従って、廃インクタンク交換口４２を介して廃インクタンク４６を交換することが可能となる。廃インクタンク４６には、インクジェットヘッド（印刷ヘッド）５４（図６参照）におけるインクノズルの目詰まりを防止するためにインクノズルから定期的に吐出されるインクが廃インクとして回収されている。
【００３０】
ケース前面２５ａにおけるインクカートリッジ交換口３８の上方には、図４に示すように、プリンター４のステータスを表示する表示ランプ４７が配置されている。表示ランプ４７とインクカートリッジ交換口３８との間には、プリンター幅方向Ｘに細長い液晶表示画面４８が配置されている。液晶表示画面４８の下側には、複数のボタン型スイッチ４９が配置されている。各ボタン型スイッチ４９は、例えば、オートカッター駆動ボタンや紙送りボタンである。ケース前面２５ａにおける廃インクタンク交換口４２の上方には、電源スイッチ５０が配置されている。
【００３１】
また、図５に示すように、インクカートリッジ交換口３８の上方には操作パネル５１が設けられている。操作パネル５１には複数個のディップスイッチ５２と操作ボタン５３が配置されている。ディップスイッチ５２はプリンター４に対して各種の設定を行うためのものであり、操作ボタン５３は液晶表示画面４８のコントラストを調整するためのものである。操作パネル５１は、カートリッジ交換口カバー３９が閉位置３９Ａに配置されるとカートリッジ交換口カバー３９により覆い隠される。
【００３２】
ケース前面２５ａの上端縁からプリンター後方（プリンター前後方向Ｙの後方）に向かってケース前面２５ａと直交する方向に延びているケース上面（第２面）２５ｂには、第１メジャー５５、第２メジャー５６およびシャッター３７の操作説明図５７が印刷された取扱い説明ラベル（ラベル）５８が貼り付けられている。取扱い説明ラベル５８はケース上面２５ｂの前端側部分に貼り付けられている。取扱い説明ラベル５８は、そのプリンター幅方向Ｘの中央が、ケース上面２５ｂのプリンター幅方向Ｘの中央よりも右側に位置している。
【００３３】
ケース上面２５ｂの後端縁からプリンター後方に向かって下方に傾斜するケース傾斜面２５ｃには、ファンフォールド紙挿入口６０が設けられている。ファンフォールド紙挿入口６０は、ファンフォールド紙挿入口カバー６１により封鎖されている。ファンフォールド紙挿入口カバー６１はプリンターケース２５に回動可能な状態で取り付けられており、ファンフォールド紙挿入口カバー６１を回動させることにより、ファンフォールド紙挿入口６０を開閉することができる。
【００３４】
（内部構造）
図６はプリンター４の内部構造の説明図である。図７は吸引プラテン３４、吸引ファンおよび吸引ダクトの説明図である。プリンター４の内部には、ロール紙収納部３３と、ロール紙収納部３３から排紙口２７に向かって延びる記録紙搬送路（搬送路）６５と、ロール紙１０から繰り出される長尺状の記録紙１０ａを記録紙搬送路６５に沿って排紙口２７に向かう搬送方向Ｍ１に搬送する搬送機構６６が設けられている。記録紙搬送路６５は、ロール紙収納部３３の後端から上方に向かって延びる上向き搬送路部分６５ａと、上向き搬送路部分６５ａの上端から前方に向かって湾曲する湾曲搬送路部分６５ｂと、湾曲搬送路部分６５ｂの前端からプリンター前方に向かって水平に延びる水平搬送路部分６５ｃを備えている。水平搬送路部分６５ｃはロール紙収納部３３の上方に位置しており、その前端（下流端）は排紙口２７に接続されている。排紙口２７の近傍には記録紙１０ａを切断するためのオートカッター６７が配置されている。
【００３５】
水平搬送路部分６５ｃの上方にはインクジェットヘッド５４が配置されている。インクジェットヘッド５４はインクカートリッジ装着部４０に装着された各インクカートリッジ４１からインクの供給を受けて当該インクジェットヘッド５４による印刷位置Ａを通過する記録紙１０ａに印刷を施す。インクジェットヘッド５４は印刷時にヘッド移動機構６８によってプリンター幅方向Ｘに往復移動させられる。ヘッド移動機構６８は、インクジェットヘッド５４を搭載するキャリッジ６９と、プリンター幅方向Ｘに延びるキャリッジガイド軸７０を備えており、キャリッジ６９をキャリッジガイド軸７０に沿って往復移動させる。
【００３６】
インクジェットヘッド５４の下方には一定のギャップを開けて吸引プラテン３４が対峙している。吸引プラテン３４は印刷位置Ａを規定している。吸引プラテン３４の内部には複数の吸引口３６のそれぞれに連通するチャンバー７１が設けられている。
【００３７】
ここで、ロール紙収納部３３のプリンター後方には吸引ファン７２が配置されている。吸引ファン７２は、遠心送風機であり、図７に示すように、その空気吸い込み口７２ａが吸引ダクト７３を介して吸引プラテン３４のチャンバー７１に接続されている。吸引ファン７２の空気噴出し口は、プリンターケース２５に形成された不図示の排気口に接続されている。吸引ダクト７３は、吸引プラテン３４の側から延びるプラテン側ダクト７３ａと吸引ファン７２の側から延びるファン側ダクト７３ｂとから構成されている。ロール紙交換口カバー３２が閉位置３２Ａに配置されている状態では、これらプラテン側ダクト７３ａとファン側ダクト７３ｂが気密に接続された状態となる。ロール紙交換口カバー３２が開位置３２Ｂに配置されると吸引プラテン３４がロール紙交換口カバー３２と一緒に移動するので、プラテン側ダクト７３ａとファン側ダクト７３ｂは離間する。
【００３８】
搬送機構６６は、図６に示すように、ロール紙収納部３３の後方の斜め上方に配置された繰り出しローラー７５と、湾曲搬送路部分６５ｂに配置されたテンションガイド７６と、水平搬送路部分６５ｃの印刷位置Ａよりも上流側に配置された紙送りローラー７７と、水平搬送路部分６５ｃの印刷位置Ａよりも下流側に配置された紙押えローラー７８を備えている。繰り出しローラー７５には紙押さえローラー７９が所定の押圧力により押し付けられている。紙押さえローラー７９は、吸引プラテン３４の下側部分からプリンター後方に向かって下方に延びる紙押さえレバー８０の先端に回転可能に取り付けられている。テンションガイド７６はバネ力によって上方に付勢されており、テンションガイド７６を経由した印刷用紙には、所定の張力が付与される。繰り出しローラー７５には上方から所定の押圧力で従動ローラー８１が押し付けられている。繰り出しローラー７５および紙送りローラー７７には不図示の搬送モーターからの駆動力が伝達される。
【００３９】
また、プリンター４の内部には、水平搬送路部分６５ｃの後端に連続してプリンター後方に延びるファンフォールド紙導入路８５が設けられている。ファンフォールド紙導入路８５の上流端はファンフォールド紙挿入口６０に接続されている。ファンフォール紙導入路と水平搬送路部分６５ｃはファンフォールド紙を搬送するためのファンフォールド紙搬送路８６を構成している。
【００４０】
ロール紙１０から繰り出された記録紙１０ａが記録紙搬送路６５上にセットされた状態でコンピューター２（プリンタードライバー１３）から印刷データが供給されると、プリンター４は吸引ファン７２を駆動して、印刷位置Ａにある記録紙１０ａをプラテン面３５に吸引する。また、プリンター４は、インクジェットヘッド５４をプリンター幅方向Ｘに移動させながらインク滴を吐出させる印刷動作と、搬送機構６６により記録紙１０ａを所定の紙送り量だけ搬送する搬送動作を交互に繰り返して、印刷位置Ａを通過する記録紙１０ａに印刷を施す。
【００４１】
ファンフォールド紙挿入口６０から挿入されたファンフォールド紙がファンフォールド紙搬送路８６上にセットされた状態でコンピューター２（プリンタードライバー１３）から印刷データが供給された場合にも、プリンター４は吸引ファン７２を駆動して、印刷位置Ａにあるファンフォールド紙をプラテン面３５に吸引する。また、プリンター４は、インクジェットヘッド５４をプリンター幅方向Ｘに移動させながらインク滴を吐出させる印刷動作と、搬送機構６６の繰り出しローラー７５によりファンフォールド紙を所定の紙送り量だけ搬送する搬送動作を交互に繰り返して、印刷位置Ａを通過するファンフォールド紙に印刷を施す。
【００４２】
（吸引プラテン）
図８は吸引プラテン３４とシャッター３７の分解斜視図である。図９は吸引プラテン３４およびシャッター３７の平面図である。図８、図９に示すように、吸引プラテン３４の後側の左端部分にはプラテン側ダクト７３ａが形成されている。プラテン面３５にはプリンター幅方向Ｘに長い略矩形の吸引領域９０が設けられている。吸引領域９０はプラテン面３５において印刷用紙が搬送される搬送領域に設けられており、プラテン面３５の右側に寄った部分に形成されている。プリンター幅方向Ｘにおける吸引領域９０の幅寸法Ｌ１は、すなわち、記録紙搬送路６５およびファンフォールド紙搬送路８６の幅寸法Ｌ１である。
【００４３】
吸引領域９０は、その中央部分に設けられた第１吸引領域９１と、第１吸引領域９１の両側に設けられた一対の第２吸引領域９２と、第１吸引領域９１と第２吸引領域９２の間に設けられた一対の第３吸引領域９３を備えている。一対の第２吸引領域９２および一対の第３吸引領域９３は、それぞれが第１吸引領域９１を間に挟んで左右対称に構成されている。ここで印刷用紙は、記録紙搬送路６５およびファンフォールド紙搬送路８６の幅方向の中心を基準として搬送される。従って、プリンター４で印刷に用いることができる複数種類の印刷用紙のうち、最も紙幅の狭い印刷用紙は第１吸引領域９１の上を通過する。最も紙幅の広い印刷用紙は、第１吸引領域９１、第２吸引領域９２および第３吸引領域９３の上を通過する。
【００４４】
図８に示すように、第１吸引領域９１はプリンター後方からプリンター前方に向かう記録紙１０ａの搬送方向Ｍ１に沿って平行に延びる４本の第１リブ９４を備えている。隣り合う第１リブ９４の間には格子状リブ８９が設けられている。格子状リブ８９は、プリンター幅方向Ｘに延びて両側の第１リブ９４に接続された複数本の横リブ８９ａと各横リブ８９ａのプリンター幅方向Ｘの中央部分を連結して搬送方向Ｍ１に延びる縦リブ８９ｂから構成されている。４本の第１リブ９４は同一の高さであり、各第１リブ９４の上端面はプラテン面３５を規定している。格子状リブ８９の高さは第１リブ９４よりも低く、格子状リブ８９の上端面はプラテン面３５よりも下方に後退した位置にある。第１リブ９４と各格子状リブ８９によって囲まれた矩形部分は、その全体が開口する第１吸引口３６ａとなっている。各第１吸引口３６ａはチャンバー７１に連通している。
【００４５】
第２吸引領域９２は平行に延びる５本の第２リブ９５を備えている。各第２リブ９５は下流側（プリンター前方）に向かって僅かに外側に傾斜している。各第２リブ９５の高さは第１リブ９４と同一であり、各第２リブ９５の上端面は第１リブ９４の上端面とともにプラテン面３５を規定している。隣り合う第２リブ９５の間は矩形の凹部９６（１）〜９６（４）となっており、各凹部９６（１）〜９６（４）の底面にはそれぞれ５つの第２吸引口３６ｂが形成されている。５つの第２吸引口３６ｂは第２リブ９５の延設方向に一定間隔で設けられている。各第２吸引口３６ｂはチャンバー７１に連通している。
【００４６】
第３吸引領域９３は、最も外側に位置する第１リブ９４と最も内側に位置する第２リブ９５の間に区画された台形の凹部９７である。凹部９７は下流側（プリンター前方）に向かってその幅が広がっている。凹部９７の底面には搬送方向Ｍ１に沿って３つの第３吸引口３６ｃが形成されている。３つの第３吸引口３６ｃのうち最も上流側の第３吸引口３６ｃは吸引領域９０の上流側部分に形成されている。残りの２つの第３吸引口３６ｃは吸引領域９０の下流側部分に形成されている。凹部９７には、この凹部９７を３つの区画に仕切る２つの突起９８が設けられている。各突起９８は第３吸引口３６ｃの間に設けられており、各突起９８は、プリンター前方に向かって上方に傾斜する傾斜面９８ａと傾斜面の前端縁から下方に延びて凹部９７の底面と直交する前端面９８ｂを備えている。
【００４７】
第２吸引領域９２の各凹部９６（１）〜９６（４）には、それぞれシャッター３７（１）〜３７（４）が挿入されている。各シャッター３７（１）〜３７（４）は、図８に示すように、第２リブ９５の延設方向に沿って延びる底板部１０１と底板部１０１のプリンター幅方向Ｘの両側から上方に起立する一対の側板部１０２を備えている。また、各シャッター３７（１）〜３７（４）は操作板部１０３を備えている。操作板部１０３は、第２リブ９５の延設方向の途中位置においてプリンター幅方向Ｘに延びて一対の側板部１０２を連結している。第２リブ９５の延設方向におけるシャッター３７（１）〜３７（４）の長さは、凹部９６（１）〜９６（４）の底面に形成された５つの第２吸引口３６ｂを包含する長さである。底板部１０１には第２吸引口３６ｂと同一形状の４つの開口部１０４が形成されている。４つの開口部１０４は第２リブ９５の延設方向に一定間隔で設けられている。隣り合う開口部１０４の間の距離は、隣り合う第２吸引口３６ｂの間の距離と同一である。
【００４８】
シャッター３７（１）〜３７（４）は、手動によって、その開口部１０４が第２吸引口３６ｂと重ならない吸引口封鎖位置３７Ａと、その開口部１０４と第２吸引口３６ｂが重なる吸引口開放位置３７Ｂの間をスライドする。吸引口封鎖位置３７Ａは、図９に示すように、吸引口開放位置３７Ｂよりも搬送方向Ｍ１の上流側（プリンター後方）に位置している。吸引口封鎖位置３７Ａでは、底板部１０１において開口部１０４が形成されていない板部分が５つの第２吸引口３６ｂの全てを封鎖する。吸引口開放位置３７Ｂでは、シャッター３７（１）〜３７（４）は、５つの第２吸引口３６ｂのうち最も上流側（プリンター後方）に形成された第２吸引口３６ｂよりも下流側（プリンター前方）に位置する。従って、この第２吸引口３６ｂは開放状態となる。また、残りの４つの第２吸引口３６ｂはシャッター３７（１）〜３７（４）の開口部１０４と連通して開放状態となる。なお、図８、図９では、第２吸引領域９２の内側に位置する２つの凹部９６（１）、９６（２）に挿入されているシャッター３７（１）、３７（２）が吸引口封鎖位置３７Ａに配置されており、外側に位置する２つの凹部９６（３）、９６（４）に挿入されているシャッター３７（３）、３７（４）が吸引口開放位置３７Ｂに配置されている。
【００４９】
（取扱い説明ラベル）
図１０は取扱い説明ラベル５８の説明図である。取扱い説明ラベル５８は長方形をしており、４つの角部にはそれぞれアールが施されている。取扱い説明ラベル５８の表面には、第１メジャー５５、第２メジャー５６、および、シャッター３７（１）〜３７（４）の操作説明図５７が印刷されている。裏面はプリンターケース２５の外面に貼り付けられる粘着面となっている。取扱い説明ラベル５８は長手方向をプリンター幅方向に向けてケース上面２５ｂに貼り付けられている。
【００５０】
第１メジャー５５および第２メジャー５６は取扱い説明ラベル５８の長辺５８ａに沿って互いに平行に設けられている。第１メジャー５５は第２メジャー５６よりも取扱い説明ラベル５８の長辺５８ａの縁に近い位置に印刷されている。第１メジャー５５の目盛りの単位はインチであり、第２メジャー５６の目盛りの単位はミリメートルである。第１メジャー５５および第２メジャー５６の長さは記録紙搬送路６５およびファンフォールド紙搬送路８６の幅寸法Ｌ１と同一である。従って、これらのメジャー５５、５６を用いることにより、記録紙搬送路６５またはファンフォールド紙搬送路８６に沿って搬送可能な、全ての印刷用紙の幅寸法を計測できる。なお、メジャー５５、５６の長さを記録紙搬送路６５およびファンフォールド紙搬送路８６の幅寸法Ｌ１よりも長くしてもよく、短くしてもよい。ここで、メジャー５５、５６が幅寸法Ｌ１よりも短い場合には、印刷用紙を２回に分けて計測することにより、印刷用紙の幅寸法を計測できる。
【００５１】
操作説明図５７は、２本のメジャーの目盛り０ｍｍ（０ｉｎｃｈ）の位置に隣接して設けられた第１説明図１０５と、目盛り３０ｍｍ（１．１８ｉｎｃｈ）、目盛り６２ｍｍ（２．４４ｉｎｃｈ）、目盛り７９ｍｍ（３．１１ｉｎｃｈ）、目盛り９７ｍｍ（３．８２ｉｎｃｈ）、目盛り１１２ｍｍ（４．４１ｉｎｃｈ）のそれぞれの位置に隣接して設けられた第２説明図１０６を備えている。
【００５２】
第１説明図１０５にはシャッター３７（１）〜３７（４）の位置および操作方法が表されている。すなわち、第１説明図１０５にはロール紙１０収納口カバーを開位置３２Ｂに配置したプリンター４を前方から見た場合の斜視図１０５ａと、吸引プラテン３４のプラテン面３５の部分拡大図１０５ｂが示されている。そして、第１説明図１０５には、操作板部１０３に指をかけて吸引プラテン３４に搭載されたシャッター３７（１）〜３７（４）を奥に移動させると第２吸引口３６ｂが閉鎖され、手前に移動させると第２吸引口３６ｂが開放状態とされることが矢印を用いて説明されている。
【００５３】
第２説明図１０６には、隣接する目盛りに対応する紙幅を備えるロール紙１０およびファンフォールド紙の模式図１０６ａと、ロール紙１０およびファンフォールド紙の幅寸法が隣接する目盛りの値であった場合におけるシャッター３７（１）〜３７（４）の配置図１０６ｂが示されている。配置図１０６ｂには、シャッター３７（１）〜３７（４）の操作方向が矢印を用いて説明されている。
【００５４】
より具体的には、印刷用紙の紙幅が３０ｍｍ（１．１８ｉｎｃｈ）である場合には、全てのシャッター３７（１）〜３７（４）を奥に移動させて全ての第２吸引口３６ｂを封鎖することが示されている。印刷用紙の紙幅が６２ｍｍ（２．４４ｉｎｃｈ）である場合には、外側に位置する６本のシャッター３７（２）〜３７（４）を奥に移動させて、これらのシャッター３７（２）〜３７（４）が挿入されている凹部９６（２）〜９６（４）に形成された第２吸引口３６ｂを封鎖することが示されている。また、残りの２本のシャッター３７（１）を手前に移動させて、これらのシャッター３７（１）が挿入されている凹部９６（１）に形成された第２吸引口３６ｂを開放状態とすることが示されている。印刷用紙の紙幅が７９ｍｍ（３．１１ｉｎｃｈ）である場合には、外側に位置する４本のシャッター３７（３）、３７（４）を奥に移動させて、これらのシャッター３７（３）、３７（４）が挿入されている凹部９６（３）、９６（４）に形成された第２吸引口３６ｂを封鎖することが示されている。また、残りの４本のシャッター３７（１）、３７（２）を手前に移動させて、これらのシャッター３７（１）、３７（２）が挿入されている凹部９６（１）、９６（２）に形成された第２吸引口３６ｂを開放状態とすることが示されている。印刷用紙の紙幅が９７ｍｍ（３．８２ｉｎｃｈ）である場合には、外側に位置する２本のシャッター３７（４）を奥に移動させて、これらのシャッター３７（４）が挿入されている凹部９６（４）に形成された第２吸引口３６ｂを封鎖することが示されている。また、残りの６本のシャッター３７（１）〜３７（３）を手前に移動させて、これらのシャッター３７（１）〜３７（３）が挿入されている凹部９６（１）〜９６（３）に形成された第２吸引口３６ｂを開放状態とすることが示されている。印刷用紙の紙幅が１１２ｍｍ（４．４１ｉｎｃｈ）である場合には、全てのシャッター３７（１）〜３７（４）を手前に移動させて全ての第２吸引口３６ｂを開放状態とすることが示されている。
【００５５】
ここで、第２説明図１０６に示されているように印刷用紙の幅寸法に対応させてシャッター３７（１）〜３７（４）を移動させることにより、印刷用紙が印刷位置Ａを通過する際に、当該印刷用紙によって上方から被われずに開放状態となっている第２吸引口３６ｂを無くすか、または、その数を減少させることができる。従って、吸引ファン７２を駆動したときに、第２吸引口３６ｂからの空気漏れによって吸引プラテン３４の吸引圧力が低下することを抑制し、印刷用紙のプラテン面３５への吸引を確実なものとすることができる。
【００５６】
なお、取扱い説明ラベル５８は、２本のメジャー５５、５６が操作説明図５７よりもプリンター前方に位置し、２本のメジャー５５、５６がケース上面２５ｂの前端縁と平行になる状態で、ケース上面２５ｂに貼り付けられている。
【００５７】
（印刷用紙のセット）
印刷システム１により印刷処理を開始する際には、ユーザーは印刷に用いる印刷用紙の用紙種類をプリンタードライバー１３に設定して、この印刷用紙をプリンター４にセットする。
【００５８】
例えば、印刷用紙として、幅寸法が７９ｍｍのロール紙１０を設定する場合には、図２に示すように、プリンタードライバー１３によってディスプレイ５に表示されている用紙設定ダイアログボックス１５の用紙設定欄１６をクリックし、表示された登録リストからこれに該当する用紙種類を選択する。ここで、ユーザーが印刷に用いるロール紙１０の幅寸法を把握していない場合には、ケース上面２５ｂに設けられている第１メジャー５５および第２メジャー５６によってロール紙１０を計測することにより、その幅寸法を把握できる。従って、用紙種類を容易に選択できる。
【００５９】
ロール紙１０をプリンター４へセットする際には、ユーザーは、図５に示すように、ロール紙交換口カバー３２を開く。これにより、吸引プラテン３４はロール紙交換口３１よりも外側に配置されて、取扱い説明ラベル５８の第１説明図１０５に示された状態となる。
【００６０】
そこで、ユーザーは、図１０に示す取扱い説明ラベル５８を参照し、印刷に用いるロール紙１０の幅寸法に対応する第２説明図１０６の指示に従ってシャッター３７（１）〜３７（４）を手動で移動させる。本例では、ロール紙１０の幅寸法が７９ｍｍなので、ユーザーは、外側に位置する４本のシャッター３７（３）、３７（４）を奥に移動させて、これらのシャッター３７（３）、３７（４）が挿入されている凹部９６（３）、９６（４）に形成された第２吸引口３６ｂを封鎖する。また、残りの４枚のシャッター３７（１）、３７（２）を手前に移動させて、これらのシャッター３７（１）、３７（２）が挿入されている凹部９６（１）、９６（２）に形成された第２吸引口３６ｂを開放状態とする。
【００６１】
その後、ロール紙収納部３３にロール紙１０を投入する。ここで、ロール紙交換口カバー３２が開かれた状態では、ロール紙交換口カバー３２と一緒に、吸引プラテン３４、テンションガイド７６、紙送りローラー７７、排紙ガイド２８、ロール紙押さえレバー８０および紙押さえローラー７９が移動して、記録紙搬送路６５が開放状態になっている。従って、記録紙１０ａをプリンター前方に引き出した状態のロール紙１０をロール紙収納部３３に投入してロール紙交換口カバー３２を閉じると、吸引プラテン３４、テンションガイド７６、紙送りローラー７７、排紙ガイド２８、ロール紙押さえレバー８０および紙押さえローラー７９が元の位置に復帰して記録紙搬送路６５が形成される際に、引き出されている記録紙１０ａが記録紙搬送路６５上で印刷位置Ａを経由した状態にセットされる。
【００６２】
しかる後に、コンピューター２（プリンタードライバー１３）から印刷データが供給されると、プリンター４は吸引ファン７２を駆動して、印刷位置Ａにある記録紙１０ａをプラテン面３５に吸引する。また、プリンター４は、印刷データに基づいて、インクジェットヘッド５４をプリンター幅方向Ｘに移動させながらインク滴を吐出させる印刷動作と、搬送機構６６により記録紙１０ａを所定の紙送り量だけ搬送する搬送動作を交互に繰り返し行い、印刷位置Ａを通過する記録紙１０ａに印刷を施す。
【００６３】
本例では、ロール紙１０をプリンター１にセットする際に、印刷に用いられるロール紙１０の幅寸法に対応させてシャッター３７（１）〜３７（４）が適切な位置に配置されている。従って、記録紙１０ａが印刷位置Ａを通過する際に、記録紙１０ａによって上方から被われずに開放状態となっている第２吸引口３６ｂを無くすか、或いは、その数を減少させることができる。この結果、第２吸引口３６ｂからの空気漏れによって吸引プラテン３４の吸引圧力が低下することが抑制されるので、記録紙１０ａのプラテン面３５への吸引が確実なものになる。また、第２吸引口３６ｂからの空気漏れが抑制されるので、印刷位置Ａにおける気流の発生を抑制することができる。この結果、インクジェットヘッド５４から吐出されたインク滴が記録紙１０ａ上の目標着弾位置に正確に着弾するので、印刷品質が維持される。
【００６４】
なお、印刷に用いる印刷用紙が登録リストに登録されていない場合には、ユーザーは用紙設定ダイアログボックス１５のユーザー設定ボタン１７を操作して、ディスプレイ５に図３に示す用紙登録ダイアログボックス１８を表示させる。そして、用紙登録ダイアログボックス１８の台紙幅寸法入力欄１９、ラベル幅寸法入力欄２０、ラベル長さ寸法入力欄２１、ラベルギャップ寸法入力欄２２に値を入力する。例えば、印刷に用いる印刷用紙がダイカットラベル用紙の場合には、ケース上面２５ｂに設けられている第１メジャー５５または第２メジャー５６によって、ダイカットラベル用紙の台紙の幅寸法、ラベルの幅寸法、ラベルの長さ寸法、ラベルギャップ寸法を計測し、これらの値を対応する各入力欄１９〜２２に入力する。
【００６５】
ここで、ユーザーが印刷に用いるダイカットラベル用紙の幅寸法を把握していない場合には、ケース上面２５ｂに設けられている第１メジャー５５および第２メジャー５６によってダイカットラベル用紙を計測することにより、各寸法を把握できる。従って、各入力欄１９〜２２への値の入力が容易であり、新たな用紙種類を容易に登録できる。また、計測した台紙の幅寸法に基づいて第２説明図１０６を参照しながらシャッター３７（１）〜３７（４）を操作することにより、シャッター３７（１）〜３７（４）の配置を、印刷に使用するダイカットラベル用紙に適したものとすることができる。
【００６６】
また、印刷用紙としてファンフォールド紙を用いる場合には、ユーザーはロール紙１０を用いる場合と同様にその用紙種類をプリンタードライバー１３に設定する。そして、ファンフォールド紙をプリンター４へセットする際には、ユーザーは、まず、ロール紙交換口カバー３２を開き、吸引プラテン３４をロール紙交換口３１よりも外側に配置する。そして、印刷に用いるファンフォールド紙の幅寸法に対応するファンフォールド紙の模式図１０６ａが示された第２説明図１０６の指示に従ってシャッター３７（１）〜３７（４）を手動で移動させる。その後、ユーザーはロール紙交換口カバー３２を閉じ、しかる後に、ファンフォールド紙をファンフォールド紙挿入口６０から挿入して、ファンフォールド紙搬送路８６にセットする。
【００６７】
この場合でも、ユーザーが印刷に用いるファンフォールド紙の幅寸法を把握していない場合には、ケース上面２５ｂに設けられている第１メジャー５５および第２メジャー５６によってファンフォールド紙を計測することにより、その幅寸法を把握できる。従って、用紙種類を容易に選択できる。
【００６８】
また、ファンフォールド紙をプリンター１にセットする際に、印刷に用いられるファンフォールド紙の幅寸法に対応させてシャッター３７（１）〜３７（４）が適切な位置に配置されている。従って、ファンフォールド紙が印刷位置Ａを通過する際に、ファンフォールド紙によって上方から被われずに開放状態となっている第２吸引口３６ｂを無くすか、或いは、その数を減少させることができる。この結果、第２吸引口３６ｂからの空気漏れによって吸引プラテン３４の吸引圧力が低下することが抑制されるので、ファンフォールド紙のプラテン面３５への吸引が確実なものになる。また、第２吸引口３６ｂからの空気漏れが抑制されるので、印刷位置Ａにおける気流の発生を抑制することができる。この結果、インクジェットヘッド５４から吐出されたインク滴がファンフォールド紙上の目標着弾位置に正確に着弾するので、印刷品質が維持される。
【００６９】
（作用効果）
本例によれば、メジャー５５、５６および操作説明図５７がケース上面２５ｂに設けられており、メジャー５５、５６と操作説明図５７が隣接した位置に配置されているので、ユーザーはメジャー５５、５６を利用しやすく、操作説明図５７を参照しやすい。
【００７０】
また、メジャー５５、５６および操作説明図５７を印刷した取扱い説明ラベル５８がプリンターケース２５に貼り付けられているので、メジャー５５、５６および操作説明図５７をプリンターケース２５に設けることが容易である。
【００７１】
（その他の実施の形態）
上記の例では、取扱い説明ラベル５８は、ケース上面２５ｂに貼り付けられているが、ケース前面２５ａに貼り付けられていてもよい。また、取扱い説明ラベル５８をプリンターケース２５の左右の側面に貼り付けておくこともできる。さらに、メジャー５５、５６および操作説明図５７をプリンターケース２５に直接印刷してもよい。また、メジャー５５、５６および操作説明図５７をプリンターケース２５の外面に形成してもよい。
【００７２】
また、上記の例では、取扱い説明ラベル５８にシャッター３７の操作説明図５７が印刷されているが、印刷用紙の幅寸法に応じて操作される排紙ガイド２８のガイド部材２９の操作説明図を印刷してもよい。
【００７３】
さらに、上記の例では、プリンター４は印刷ヘッドとしてインクジェットヘッド５４を搭載するものであるが、インクジェットヘッド５４とは異なる印刷ヘッドを搭載するプリンターにも本発明を適用できる。ここで、サーマルヘッドを搭載するプリンター４では、印刷済みの印刷用紙を取得しやすいように、プリンターケースにおいて排紙口が形成されている端面を鉛直方向の上方に向けた姿勢で配置される場合がある。この場合には、メジャーや操作説明図を、排紙口が形成されている上面（第１端面）または上面に隣接するいずれかの側面（第２端面）に設けておけば、ユーザーがメジャーおよび操作説明図を利用しやすい。
【符号の説明】
【００７４】
１・・印刷システム、２・・コンピューター、３・・ケーブル、４・・プリンター、５・・ディスプレイ、６・・キーボード、７・・マウス、１０・・ロール紙、１０ａ・・記録紙（印刷用紙）、１２・・アプリケーションプログラム、１３・・プリンタードライバー、１５・・用紙設定ダイアログボックス、１６・・用紙設定欄、１７・・ユーザー設定ボタン、１８・・用紙登録ダイアログボックス、１９・・台紙幅寸法入力欄、２０・・ラベル幅寸法入力欄、２１・・ラベル長さ寸法入力欄、２２・・ラベルギャップ寸法入力欄、２３・・追加ボタン、２５・・プリンターケース（ケース）、２５ａ・・ケース前面（第１端面）、２５ｂ・・ケース上面（第２端面）、２５ｃ・・ケース傾斜面、２７・・排紙口、２８・・排紙ガイド、２９・・ガイド部材（移動部材）、３０・・開閉レバー、３１・・ロール紙交換口、３２・・ロール紙交換口カバー、３２Ａ・・ロール紙交換口カバーの閉位置、３２Ｂ・・ロール紙交換口カバーの開位置、３３・・ロール紙収納部、３４・・吸引プラテン、３５・・プラテン面、３６・３６ａ・３６ｂ・３６ｃ・・吸引口、３７・３７（１）〜（４）・・シャッター（移動部材）、３７Ａ・・シャッターの吸引口封鎖位置、３７Ｂ・・シャッターの吸引口開放位置、３８・・インクカートリッジ交換口、３９・・カートリッジ交換口カバー、３９Ａ・・カートリッジ交換口カバーの閉位置、３９Ｂ・・カートリッジ交換口カバーの開位置、４０・・インクカートリッジ装着部、４１・・インクカートリッジ、４２・・廃インクタンク交換口、４３・・タンク交換口カバー、４４・・連結バンド、４５・・廃インクタンク装着部、４６・・廃インクタンク、４７・・表示ランプ、４８・・液晶表示画面、４９・・ボタン型スイッチ、５０・・電源スイッチ、５１・・操作パネル、５２・・ディップスイッチ、５３・・操作ボタン、５４・・インクジェットヘッド（印刷ヘッド）、５５・・第１メジャー、５６・・第２メジャー、５７・・操作説明図、５８・・取扱い説明ラベル（ラベル）、５８ａ・・取扱い説明ラベルの長辺、６０・・ファンフォールド紙挿入口、６１・・ファンフォールド紙挿入口カバー、６５・・記録紙搬送路（搬送路）、６５ａ・・上向き搬送路部分、６５ｂ・・湾曲搬送路部分、６５ｃ・・水平搬送路部分、６６・・搬送機構、６７・・オートカッター、６８・・ヘッド移動機構、６９・・キャリッジ、７０・・キャリッジガイド軸、７１・・チャンバー、７２・・吸引ファン、７２ａ・・吸引ファンの空気吸い込み口、７３・・吸引ダクト、７３ａ・・プラテン側ダクト、７３ｂ・・ファン側ダクト、７５・・繰り出しローラー、７６・・テンションガイド、７７・・紙送りローラー、７８・・紙押えローラー、７９・・紙押えローラー、８０・・紙押えレバー、８１・・従動ローラー、８５・・ファンフォールド紙導入路、８６・・ファンフォールド紙搬送路（搬送路）、８９・・格子状リブ、８９ａ・・横リブ、８９ｂ・・縦リブ、９０・・吸引領域、９１・・第１吸引領域、９２・・第２吸引領域、９３・・第３吸引領域、９４・・第１リブ、９５・・第２リブ、９６（１）〜（４）・・第２吸引領域の凹部、９７・・第３吸引領域の凹部、９８・・第３吸引領域の突起、９８ａ・・突起の傾斜面、９８ｂ・・突起の前端面、１０１・・シャッターの底板部、１０２・・シャッターの側板部、１０３・・シャッターの操作板部、１０４・・シャッターの開口部、１０５・・第１説明図、１０５ａ・・プリンターの斜視図、１０５ｂ・・プラテン面の部分拡大図、１０６・・第２説明図、１０６ａ・・印刷用紙の模式図、１０６ｂ・・シャッターの配置図、Ａ・・印刷位置、Ｌ１・・搬送路の幅寸法（吸引領域の幅寸法）、Ｍ１・・搬送方向、Ｘ・・プリンター幅方向、Ｙ・・プリンター前後方向、Ｚ・・プリンター上下方向
【図１】
2015048169.tif 000003
【図４】
2015048169.tif 000004
【図５】
2015048169.tif 000005
【図６】
2015048169.tif 000006
【図７】
2015048169.tif 000007
【図８】
2015048169.tif 000008
【図９】
2015048169.tif 000009
【図２】
2015048169.tif 000010
【図３】
2015048169.tif 000011
【図１０】
2015048169.tif 000012